(57)【要約】      （修正有）【課題】イジェクトロック機構付カード用コネクタに関し、イジェクト機構のイジェクトレバーが、カードが装着されていないときに、誤って押されてもコネクタ筐体の外側に突出して、イジェクトボタン部が折れたりぶつかったりしないようにして、安全を図る。【解決手段】イジェクトレバー２４は、循環型のカム溝３において往路と復路との中間にある排出ロック位置で往路及び復路に移動できないことで位置固定され、前記イジェクター４がカード装着位置に移動されたときに当該イジェクターのガイド部４ｃが前記排出ロック位置の近傍に出現し、その出現したガイド部４ｃに前記イジェクトレバーの一部が係合してガイドされ当該イジェクトレバーがコネクタ筐体２１後方に押されると復路に移動可能となるイジェクトロック機構付カード用コネクタ１とする。【選択図】図１
2005347063.tif 000002
【特許請求の範囲】
【請求項１】
カードをコネクタ筐体の挿入口から挿入し後方に押し込んで端子部に装着させ、該カードを前記コネクタ筐体に設けたイジェクト機構によりコネクタ筐体の後部から前部へと移動させて前記カードを排出するカード用コネクタにおいて、
前記イジェクト機構は、操作釦を端部に有してコネクタ筐体の前後方向に往復移動し且つ循環型のカム溝に一部が係合してガイドされながら摺動するイジェクトレバーと、
該イジェクトレバーのイジェクト作用によってコネクタ筐体の後方に押し込まれて前記カードを排出させるイジェクターと、
前記イジェクトレバーを常にコネクタ筐体前方へ移動させるように付勢する弾性部材とで構成され、
前記イジェクトレバーは、前記循環型のカム溝において往路と復路との中間にある排出ロック位置で往路及び復路に移動できないことで位置固定され、
前記イジェクターがカード装着位置に移動されたときに当該イジェクターのガイド部が前記排出ロック位置の近傍に出現し、その出現したガイド部に前記イジェクトレバーの一部が係合してガイドされ当該イジェクトレバーがコネクタ筐体後方に押されると復路に移動可能となること、
を特徴とするイジェクトロック機構付カード用コネクタ。
【請求項２】
排出ロック位置において、カム溝に係合しているイジェクトレバーの一部は、該イジェクトレバーをコネクタ筐体後方に押すと、コネクタ筐体後方に移動し、カム溝の往路・復路のいずれにも移動できないこと、
を特徴とする請求項１に記載のイジェクトロック機構付カード用コネクタ。
【発明の詳細な説明】
【技術分野】
【０００１】
本発明は、例えば、ＰＣカード、ＩＣカード、ＣＦ（コンパクトフラッシュ（登録商標））カード等のメモリーカードを、携帯型（ノート型）電子機器に装着するためのカード用コネクタであって、詳しくは、メモリーカードを脱着させるためのイジェクト機構が備わったイジェクトロック機構付カード用コネクタに関するものである。
【背景技術】
【０００２】
従来、例えば、図８に示すように、メモリーカード用のコネクタ２０において、コネクタ筐体２１の側部に、メモリーカード２２排出用のイジェクト機構Ａが設けられている。
【０００３】
前記イジェクト機構Ａには、操作釦２３を一端部に備えてコネクタ筐体２１の側壁に沿って前後方向に摺動するイジェクトレバー２４がある。このイジェクトレバー２４には揺動するクランクプレートが設けられていて、そのクランクプレートのピンが循環型のカム溝に係合している。また、前記イジェクトレバー２４を常にコネクタ筐体前側に移動するように付勢する弾性部材２５が、筐体側壁と当該イジェクレバー２４の一部との間に張架されている。
【０００４】
前記クランクプレートのピンが係合するカム溝２６は、図９に示すように、合成樹脂製のハウジングに循環型のカム溝が刻設され、前記ピンとの係合部をＡ〜Ｌの符号で示すと、出発点がＡ点であり、Ａ〜Ｅまでがイジェクトレバー２４を押し込んだときの往路である。そして、イジェクトレバー２４の押圧を解除すると弾性部材（例えば、コイルスプリング）２５の付勢力によりＥ，Ｆ，Ｇと前方向に逆戻りして移動し、この位置で移動停止する。よって、前記Ｅ点がカード排出完了位置で、Ｇ点が排出ロック位置である。
【０００５】
図に示すように、Ａ〜Ｇ点までの溝部の高低差を見ると、往路の途中で勢いに乗ってＣ−Ｄで高くなって、その後は段差を降りるように低くなっている。
次に、イジェクトレバー２４の排出ロック位置から操作釦２３をコネクタ筐体後方に押し込むと、前記ピンはＧ−Ｈ−Ｉと更に段差を進んで、復路の溝に移動する。その後、押し込み力を解放すると、前記弾性部材２５の付勢力により、イジェクトレバー２４はＩ−Ｊ−Ｋ−Ｌと戻ってきて、元のＡ点に戻る。
【０００６】
このように、前記操作釦２３を押し込む操作を繰り返すだけで、イジェクトレバー２４の前後の摺動が可能となる。これを、プッシュープッシュタイプのスイッチと称する。
【０００７】
前記イジェトレバー２４に係合解除可能に係止するイジェクター２７が、コネクタ筐体２１の側壁に前後方向に摺動可能に設けられている。前記イジェクトレバー２４が往路にガイドされて後方へ移動する際には前記イジェクター２７と係合し、該イジェクター２７が同時に後方へ移動されることで、このイジェクター２７の端部に係合している、てこの作用を利用した伝達機構により、メモリーカード（以下、カード）２２をその後部を押圧してコネクタ筐体２１前方へ押し出す。
【０００８】
このカード排出完了状態では、前記イジェクトレバー２４は後方に押し込まれて、ピンがＧ点のロック位置に位置している。よって、図に示すように、ノート型パソコンなどの電子機器の筐体２８から突出量が少なく、邪魔になることがない。また、前記イジェクター２７は、後方に押し込まれたままである。前記イジェクトレバー２４がＥ点からＧ点に移動したところで、前記イジェクター２７との係合関係が解除される。
【０００９】
このカード排出完了状態では、コネクタにカード２２を装着することは自由にできる。そこで、カード２２をコネクタ２０に装着すると、前記排出用の伝達機構が排出時とは逆に動き、イジェクター２７が後方から前方へ摺動する。このイジェクター２７の端部は、前記イジェクトレバー２４端部との係合が解除されているので、コネクタ筐体の前後方向において、前記イジェクトレバー２４の端部を超えて前方に摺動することができる。そして、前記イジェクトレバー２４は、移動することなく押し込まれたままである。
前記カード２２を脱着させるには、前記イジェクトレバー２４を、一旦、後方に押し込んでピンを復路に移動させ前方に突出させる。この初期位置の状態で、当該イジェクトレバー２４とイジェクター２７の端部が係合する。そして、このイジェクトレバー２４を後方へ押し込むことで。前記イジェクター２７を介して伝達機構によりカード２２が排出される。このように構成したコネクタが知られている（特許文献１参照）。
【００１０】
また、前記イジェクトレバー２４が、カード２２を排出して排出ロック位置（Ｇ点）にあるとき、操作釦２３は機器筐体２８から突出せず、邪魔にならない状態になっている。しかしながら、間違って押したり何らかの力が前記操作釦２３に押圧力として加わったりすると、ピンがＧ点からＩ点に移動して復路に移動する。よって、イジェクトレバー２４が弾性部材２５の付勢力により前方に移動して、操作者の知らないうちに操作釦２３が筐体２８から突出してしまうことがある。
【００１１】
そこで、前記イジェクトレバー２４及び操作釦２３が、誤って突出しないように、係止部材を設けて弾性部材により筐体側の一部に係止させて、位置ロックさせるものが知られている（特許文献２参照）。
【特許文献１】特開平１１−２１４０７６号公報
【特許文献２】特開平０７−２９６１２３号公報
【発明の開示】
【発明が解決しようとする課題】
【００１２】
しかし、上記のイジェクトロック機構付カード用コネクタでは、イジェクトレバーを位置ロックさせるために、係止部材及び弾性部材の、少なくとも２部品が必要であり、その組み立て工数も費用として嵩むことになる。更に、操作性においても、ロックを解除する特別な操作が必要で、単に操作ボタンを押し込む操作に比べ劣るものである。
【００１３】
そこで、本発明は、イジェクトレバーが、カード排出させた後で、中間位置でロックされた際に、当該イジェクトレバーが何らかの押圧力で押されても、機器筐体から突出しないようにするとともに、既存部品の一部改良によって部品点数を増やさず、操作性も良いものにすることが課題である。
【課題を解決するための手段】
【００１４】
本発明に係るイジェクトロック機構付カード用コネクタの要旨は、 カードをコネクタ筐体の挿入口から挿入し後方に押し込んで端子部に装着させ、該カードを前記コネクタ筐体に設けたイジェクト機構によりコネクタ筐体の後部から前部へと移動させて前記カードを排出するカード用コネクタにおいて、前記イジェクト機構は、操作釦を端部に有してコネクタ筐体の前後方向に往復移動し且つ循環型のカム溝に一部が係合してガイドされながら摺動するイジェクトレバーと、該イジェクトレバーのイジェクト作用によってコネクタ筐体の後方に押し込まれて前記カードを排出させるイジェクターと、前記イジェクトレバーを常にコネクタ筐体前方へ移動させるように付勢する弾性部材とで構成され、前記イジェクトレバーは、前記循環型のカム溝において往路と復路との中間にある排出ロック位置で往路及び復路に移動できないことで位置固定され、前記イジェクターがカード装着位置に移動されたときに当該イジェクターのガイド部が前記排出ロック位置の近傍に出現し、その出現したガイド部に前記イジェクトレバーの一部が係合してガイドされ当該イジェクトレバーがコネクタ筐体後方に押されると復路に移動可能となることである。
【００１５】
前記排出ロック位置において、カム溝に係合しているイジェクトレバーの一部は、該イジェクトレバーをコネクタ筐体後方に押すと、コネクタ筐体後方に移動し、カム溝の往路・復路のいずれにも移動できないことを含むものである。
【発明の効果】
【００１６】
本発明のイジェクトロック機構付カード用コネクタは、イジェクトレバーが、排出ロック位置にある状態で、何らかの原因でその操作釦が押し込まれても、イジェクトレバーお跳び操作釦が共に押されて後方に移動し、その押圧力を解除すると、弾性部材の付勢力で再び排出ロック位置に戻るのみである。よって、操作釦が不用意に機器筐体の外に突出することがないので、例えば、鞄の中で前記操作釦が物にぶつかったり折れたりするという、不都合がない。
【００１７】
そして、カード用コネクタにカードが装着されると、伝達機構によりイジェクターがカード装着位置に移動され、当該イジェクターのガイド部が前記排出ロック位置の近傍に出現する。これによって始めて、イジェクトレバーの一部（カム溝に係合しているピン）が、カム溝における排出ロック位置から復路へと移動できるようになる。よって、この状態でイジェクトレバーを後方に押すことで、復路に至って弾性部材の付勢力により、操作釦が機器筐体の外に突出する。こうして、イジェクターとイジェクトレバーとが係合するようになり、カード排出操作が可能となるのである。
このように、本発明に係るイジェクトロック機構付カード用コネクタは、一旦、カードを排出すると、次のカードをコネクタに装着しない限り、イジェクトレバーを元の位置に戻すことが不可能であり、操作釦が機器筐体の外に突出しないようにされている。
そして、カードを装着すると単に操作ボタンを押すだけで、当該操作釦を機器筐体の外に突出させることができる。
【発明を実施するための最良の形態】
【００１８】
本発明に係るイジェクトロック機構付カード用コネクタについて説明する。なお、発明の理解を容易にするため従来例と同一の部品には従来例と同一の符号を付けて説明する。  本発明のカード用コネクタ１は、図１乃至図２に示すように、カード２２をコネクタ筐体２１の挿入口２１ｂから挿入し、後方に押し込んで端子部２に装着させ、該カード２２を前記コネクタ筐体２１に設けたイジェクト機構Ｂにより、コネクタ筐体２１の後部から前部へと移動させて前記カード２２を排出するものである。
【００１９】
前記イジェクト機構Ｂは、操作釦２３を端部に有してコネクタ筐体２１の前後方向に往復移動し且つ循環型のカム溝３に一部が係合してガイドされながら摺動するイジェクトレバー２４と、該イジェクトレバー２４のイジェクト作用によってコネクタ筐体２１の後方に押し込まれて前記カード２２を排出させるイジェクター４と、前記イジェクトレバー２４を常にコネクタ筐体２１前方へ移動させるように付勢する弾性部材２５とで構成されている。
【００２０】
前記カム溝３は、図３に示すように、例えば、合成樹脂製のイジェクトベース５に、往路（ａ点からｅ点）、排出ロック位置（ｇ点）、復路（ｉ点からＬ点）と順番に一方向に循環する溝として刻設されている。
【００２１】
このカム溝３が、従来例と異なる溝部分があり、それは、図３に示すように、往路のａ点からｇ点までは従来例と同一であるが、ｇ点において、その後方に溝高さを同じくして続く溝部ｇ’があり、更に、図３（Ｂ），（Ｃ）に示すように、このｇ（ｇ’）点と復路のｉ点との間に、ｈ−ｈ’の登り坂がある。
【００２２】
前記ｈ−ｈ’の登り坂を乗り越えて復路のｉ点に至ることで、イジェクトレバー２４は元の位置に復帰することができる。この登り坂が存在するために、排出ロック位置である前記ｇ点において、イジェクトレバー２４を後方に押し込み解放しても、該イジェクトレバー２４のクランクプレート２４ａの端部にあるピン２４ｂ（図２（Ｂ）参照）は、ｇ→ｇ’を往復移動するのみで、前記復路のｉ点に移動することができない。
よって、この排出ロック位置にあるイジェクトレバー２４は、不用意に操作釦２３が押されても、クランクプレート２４ａのピン２４ｂが復路に移動できないので、操作釦２３が機器筐体２８外に突出することがない。
【００２３】
前記イジェクター４は、図１及び図４に示すように、細長い全体が剛性の金属製の連結レバーである。そして、イジェクトベース５に当該イジェクター４の先端部４ａが摺動自在に係合し、往路における前記イジェクトレバー２４の端部（実際にはクランクプレートの端部）と当接して、イジェクトレバー２４がコネクタ筐体２１の後方に押し込まれると同時に同方向に押し込まれる。そして、このイジェクター４の後端部４ｂが伝達機構の端部６と係合していて、カード用コネクタ１に装着されたカード２２に対して排出作用するものである。
【００２４】
更に、前記イジェクター４には、図４に示すように、その一部を斜めに切り起こしたガイド部であるガイド突起４ｃが形成されている。このガイド突起４ｃは、筐体本体２１ａの側壁に組み付けた状態を示す図５に示すように、イジェクトベース５にイジェクター４が取り付けられた状態で、コネクタ筐体２１の側壁から斜め外に突出している。そして、このイジェクター４がコネクタ筐体２１の前方に移動したとき、前記ガイド突起４ｃが、図６（Ａ）から同図（Ｂ）に示す状態になり、前記カム溝３のｇ点の近傍に出現する。
【００２５】
前記ガイド突起４ｃは、ｇ−ｇ’溝部上に位置して、ｇ点に位置するクランクプレート２４ａのピン２４ｂが、後方に押し込まれた場合に、ｇ’点に行くのを阻止して、復路のｉ点に強制的に誘導する。これによって、ピン２４ｂは、登り坂のｈ−ｈ’を乗り越えて前記ｉ点に移動することになる。この様に、排出ロック位置（ｇ点）の近傍に出現したガイド部（ガイド突起４ｃ）に前記イジェクトレバー２４の一部（ピン２４ｂ）が係合して復路へとガイドされるようになり、当該イジェクトレバー２４がコネクタ筐体２１後方に押されると復路に移動可能となる。
【００２６】
このようなガイド突起４ｃは、上述のようにガイド部として、その機能を果たすようなものであれば良いので、他の実施例として、例えば、図７に示すように、イジェクター７に凹状の突起７ａとして、その突起７ａの傾斜部をガイド部とするようにしてもよい。
【００２７】
以上のように、本発明に係るイジェクトロック機構付カード用コネクタ１により、図１に示すように、カード２２が装着された状態で、操作釦２３が機器筐体２８から最も突出しているボタン位置Ａから指で押し込むと、ボタン位置Ｂに至り、イジェクトレバー２４及びこれに係合するイジェクター４が後方に押し込まれ、伝達機構の端部６がてこの原理により回動して前記カード２２を前方へと排出する。
【００２８】
操作釦２３に対する押し込みを解放すると、イジェクトレバー２４におけるピン２４ｂは、図３に示すように、カム溝３のｅ点からｇ点に移動する。このとき、前記イジェクトレバー２４とイジェクター４との係合関係が解除される。
【００２９】
この状態では、ボタン位置Ｂから若干前方に戻ってボタン位置Ｃとなり、ピン２４ｂは、ｇ点の排出ロック位置に位置決めされる。この状態が、図６（Ａ）に示す状態となる。この状態で操作釦２３を押しても、ピン２４ｂがｇ−ｇ’間を往復移動するのみで、復路に移動せず、操作釦２３が機器筐体２８から突出しない。よって、このカード用コネクタ１を採用するノート型パソコン等が鞄の中で他の物にぶつかって、操作釦２３が押されても飛び出すことがないのである。
【００３０】
次に、カード２２をこのカード用コネクタ１に装着すると、伝達機構の端部６を介してイジェクター４が前方に押し出される。当該イジェクター４がカード装着位置に移動する。すると、図６（Ｂ）に示すように、該イジェクター４のガイド突起４ｃが前記カム溝３のｇ点の近傍に出現する。
【００３１】
そこで、ボタン位置Ｃにある操作釦２３を押すと、ピン２４ｂが、図３に示すように、前記ガイド突起４ｃに誘導されてｇ点からｈ−ｈ’点へ、更に、ｉ点に移動される。その後は、弾性部材２５によりイジェクトレバー２４が前方に付勢されて、元の位置に戻り、ボタン位置Ａに復帰する。
こうして、操作釦２３が不用意に機器筐体２８の外に飛び出すのを防止することができるものである。
【図面の簡単な説明】
【００３２】
【図１】本発明に係るイジェクトロック機構付カード用コネクタ１の平面図である。
【図２】同本発明のイジェクトロック機構付カード用コネクタ１の筐体本体２１ａとイジェクト機構Ｂとを組立てた状態の平面図（Ａ）と、正面図（Ｂ）と、側面図（Ｃ）とである。
【図３】同カード用コネクタ１における、イジェクトベース５カム溝３を示す正面図（Ａ）と、カム溝３の往復順路の高低差を示す説明図（Ｂ）と、Ａ−Ａ線に沿った断面図（Ｃ）である。
【図４】同カード用コネクタ１におけるイジェクター４の平面図（Ａ）、正面図（Ｂ）、底面図（Ｃ）である。
【図５】同カード用コネクタ１におけるイジェクト機構Ｂの拡大詳細図である。
【図６】同カード用コネクタ１における、イジェクト作用を説明する説明図（Ａ），（Ｂ）である。
【図７】同カード用コネクタ１における、他の実施例に係るイジェクター７の一部を示す平面図（Ａ）、正面図（Ｂ）、底面図（Ｃ）である。
【図８】従来例に係るカード用コネクタ２０の平面図である。
【図９】同従来例に係るカード用コネクタ２０における、カム溝２６の説明図である。
【符号の説明】
【００３３】
１          イジェクトロック機構付カード用コネクタ、
２          端子部、
３          カム溝、
４          イジェクター、            ４ａ        先端部、
４ｂ        後端部、                  ４ｃ        ガイド突起、
５          イジェクトベース、
６          端部、  
７          イジェクター、            ７ａ        突起、
２１        コネクタ筐体、            ２１ａ      筐体本体、
２１ｂ      挿入口、
２２        カード、
２３        操作釦、
２４        イジェクトレバー、        ２４ａ      クランププレート、
２４ｂ      ピン、                    ２５        弾性部材、
２８        機器筐体。
【図１】
2005347063.tif 000003
【図２】
2005347063.tif 000004
【図３】
2005347063.tif 000005
【図４】
2005347063.tif 000006
【図５】
2005347063.tif 000007
【図６】
2005347063.tif 000008
【図７】
2005347063.tif 000009
【図８】
2005347063.tif 000010
【図９】
2005347063.tif 000011